(57)【要約】      （修正有）【課題】複数のＵＳＢポートを備える場合であっても、生産性の向上を図ることができるコードリールを提供する。【解決手段】コードリール１は、リール２と電源コード３とＵＳＢモジュール４とを備える。リール２は、筒状の胴部と、軸方向の胴部の両端部に配される側板部２２とを備える。電源コード３は、外部の電源に差し込み可能な電源プラグ３１を一端に備える。電源コード３は、胴部の外周部に巻き取られるよう構成されている。ＵＳＢモジュール４は、電源コード３における電源プラグ３１側と反対側に接続された複数のＵＳＢポート４１がモジュール化されてなる。ＵＳＢモジュール４は、リール２に取り付けられている。【選択図】図１
0003220993.tif 000002
【実用新案登録請求の範囲】
【請求項１】
筒状の胴部と、軸方向の前記胴部の両端部に配される側板部とを備えたリールと、
外部の電源に差し込み可能な電源プラグを一端に備えるとともに、前記胴部の外周部に巻き取られる電源コードと、
前記電源コードの他端側に接続された複数のＵＳＢポートがモジュール化されてなるとともに、前記リールに取り付けられたＵＳＢモジュールと、を備えるコードリール。
【請求項２】
前記リールには、前記ＵＳＢポートに加え、前記電源コードの他端側に接続された出力コンセントが設けられている、請求項１に記載のコードリール。
【請求項３】
前記ＵＳＢモジュールには、前記電源プラグが前記電源に差し込まれていない状態では消灯し、前記電源プラグが前記電源に差し込まれている状態では点灯するパイロットランプが設けられている、請求項１又は２に記載のコードリール。
【請求項４】
前記ＵＳＢモジュールは、前記ＵＳＢポートを閉塞する閉状態と前記ＵＳＢポートを外部に露出させる開状態との間を移動可能なカバーを備え、前記カバーは、前記閉状態に向かう方向に付勢されている、請求項１〜３のいずれか一項に記載のコードリール。
【請求項５】
前記ＵＳＢモジュールには、前記電源プラグが前記電源に差し込まれていない状態では消灯し、前記電源プラグが前記電源に差し込まれている状態では点灯するパイロットランプが設けられており、前記カバーは、透明であり、前記パイロットランプは、前記ＵＳＢモジュールの前記カバーが前記閉状態のとき、前記コードリールの外部から前記カバーを通して視認可能である、請求項４に記載のコードリール。
【請求項６】
前記ＵＳＢモジュールは、４つ以上の前記ＵＳＢポートを備える、請求項１〜５のいずれか一項に記載のコードリール。
【考案の詳細な説明】
【技術分野】
【０００１】
本考案は、コードリールに関する。
【背景技術】
【０００２】
コードリールは、例えば、電気器具を商用電源の電源コンセントから離れた場所で使用するとき等に用いられる。かかるコードリールとしては、特許文献１に記載されたものがある。
【０００３】
特許文献１に記載されたコードリールは、リールと、リールに巻き取られた電源コードと、リールの側面に設けられるとともに前記電源コードから給電される出力コンセントとを備える。そして、コードリールは、電源コードの電源プラグを商用電源の電源コンセントに差し込み、コードリールの出力コンセントに電気器具の差込プラグを差し込むことで、電源と電気器具との間を中継する。また、特許文献１には、コードリールにＵＳＢ（Ｕｎｉｖｅｒｓａｌ  Ｓｅｒｉａｌ  Ｂｕｓ）ポートを設けてもよい旨が記載されている。
【先行技術文献】
【特許文献】
【０００４】
【特許文献１】実用新案登録第３１７０７７８号公報
【考案の概要】
【考案が解決しようとする課題】
【０００５】
しかしながら、特許文献１には、コードリールにＵＳＢポートを設ける具体的手段については何ら記載がない。
【０００６】
ここで、コードリールにＵＳＢポートを複数設けることによって、１つのコードリールで複数の電気機器が使用可能となり、利便性の高いコードリールを得ることができる。一方で、リールへのＵＳＢポートの組み付けが難しくなり、コードリールの生産性が低下するおそれが考えられる。
【０００７】
本考案は、かかる課題に鑑みてなされたものであり、複数のＵＳＢポートを備える場合であっても、生産性の向上を図ることができるコードリールを提供しようとするものである。
【課題を解決するための手段】
【０００８】
本考案の一態様は、筒状の胴部と、軸方向の前記胴部の両端部に配される側板部とを備えたリールと、
外部の電源に差し込み可能な電源プラグを一端に備えるとともに、前記胴部の外周部に巻き取られる電源コードと、
前記電源コードの他端側に接続された複数のＵＳＢポートがモジュール化されてなるとともに、前記リールに取り付けられたＵＳＢモジュールと、を備えるコードリールにある。
【考案の効果】
【０００９】
前記態様のコードリールは、複数のＵＳＢポートがモジュール化されてなるとともにリールに取り付けられたＵＳＢモジュールを備える。それゆえ、複数のＵＳＢポートをモジュール化したＵＳＢモジュールをリール外部で製造するとともに、これをリールに組み込むことで、複数のＵＳＢポートをリールに容易に配設することができる。それゆえ、複数のＵＳＢポートを備えたコードリールの生産性を向上させることができる。
【００１０】
以上のごとく、前記態様によれば、複数のＵＳＢポートを備える場合であっても、生産性の向上を図ることができるコードリールを提供することできる。
【図面の簡単な説明】
【００１１】
【図１】実施例１における、ＵＳＢモジュールのカバーが閉状態であるときのコードリールの正面図。
【図２】実施例１における、ＵＳＢモジュールのカバーが開状態であるときのコードリールの正面図。
【図３】実施例１における、コードリールの側面図。
【図４】実施例１における、ＵＳＢモジュールの平面図。
【図５】実施例１における、ＵＳＢモジュールの側面図。
【図６】実施例１における、ＵＳＢモジュールの正面図。
【図７】実施例１における、前方側板部の正面図。
【図８】実施例１における、ＵＳＢモジュールを前方側板部のモジュール配置穴に挿入する様子を説明する図。
【図９】実施例１における、ＵＳＢモジュールの爪部が前方側板部のモジュール配置穴に挿入された様子を示す図。
【図１０】実施例１における、ＵＳＢモジュールが前方側板部のモジュール配置穴に組み付いた様子を示す図。
【図１１】実施例２における、ＵＳＢモジュールのカバーが閉状態であるときのコードリールの正面図。
【考案を実施するための形態】
【００１２】
前記コードリールにおいて、リールには、ＵＳＢポートに加え、電源コードの他端側に接続された出力コンセントが設けられていることが好ましい。この場合、コードリールの使用者は、コードリールのＵＳＢポートと出力コンセントとの双方を利用することができる。それゆえ、１つのコードリールでより多くの電気機器を使用することができる。かかる観点からは、コードリールは、出力コンセントを２つ以上備えることが好ましく、出力コンセントを４つ以上備えることがさらに好ましい。
【００１３】
また、ＵＳＢモジュールには、電源プラグが電源に差し込まれていない状態では消灯し、電源プラグが電源に差し込まれている状態では点灯するパイロットランプが設けられていることが好ましい。この場合、コードリールの使用者は、パイロットランプを確認することで、コードリールの電源プラグが電源に接続されているか否かを一目で把握することができる。
【００１４】
また、ＵＳＢモジュールは、ＵＳＢポートを閉塞する閉状態とＵＳＢポートを外部に露出させる開状態との間を移動可能なカバーを備え、カバーは、閉状態に向かう方向に付勢されていることが好ましい。この場合、ＵＳＢポートからコードを引き抜くと、ＵＳＢモジュールのカバーが自動的に閉じられる。それゆえ、コードリール使用者は、コードリール不使用時に、ＵＳＢポートに塵、埃、雨水等の異物が入り込むことを確実に防止することができる。
【００１５】
また、前記カバー及び前記パイロットランプを備えるコードリールにおいて、カバーは透明であり、パイロットランプは、ＵＳＢモジュールのカバーが閉状態のとき、コードリールの外部からカバーを通して視認可能であることが好ましい。この場合、ＵＳＢモジュールのカバーが閉じているか開いているかに関わらず、コードリールの使用者は、外部からパイロットランプを確認し、コードリールの電源プラグが電源に接続されているか否かを一目で確認することができる。
【００１６】
また、ＵＳＢモジュールは、４つ以上のＵＳＢポートを備えることが好ましい。この場合、１つのコードリールでより多くの電気機器を使用することができる。特に、近年、スマートフォンや携帯電話等の充電器として、ＵＳＢポートに接続可能なＵＳＢ端子を備えるものが普及しており、災害時の避難所等では、多くの避難者がスマートフォンや携帯電話等の充電のためのＵＳＢポートを必要とすることが想定される。そのため、４つ以上のＵＳＢポートを有するＵＳＢモジュールを備えるコードリールは、災害時用として特に好適に用いることができる。
【実施例】
【００１７】
（実施例１）
コードリールの実施例につき、図１〜図１０を用いて説明する。
図１、図２に示すごとく、本例のコードリール１は、リール２と電源コード３とＵＳＢモジュール４とを備える。
【００１８】
図３に示すごとく、リール２は、筒状の胴部２１と、軸方向Ｘの胴部２１の両端部に配される側板部２２とを備える。図１、図２に示すごとく、電源コード３は、外部の電源に差し込み可能な電源プラグ３１を一端に備える。また、電源コード３は、胴部２１の外周部に巻き取られるよう構成されている。
【００１９】
ＵＳＢモジュール４は、電源コード３における電源プラグ３１側と反対側に接続された４つのＵＳＢポート４１がモジュール化されてなる。ＵＳＢモジュール４は、リール２に取り付けられている。
以後、本例につき詳説する。
【００２０】
まず、本例のコードリール１の概要につき説明する。
本例のコードリール１は、例えば交流１００Ｖの図示しない商用電源と、当該商用電源による電力を消費する図示しない各種電気器具とを接続するために使用される。コードリール１は、電源コード３の電源プラグ３１を商用電源に挿入接続し、ＵＳＢポート４１に各種電気器具のＵＳＢ端子を挿入接続することにより、商用電源と各種電気器具との間を電気的に中継する。
【００２１】
コードリール１に接続されて使用される電気器具としては、ＵＳＢポート４１に接続可能なＵＳＢ端子を備えた種々の電気器具を採用することができる。一例として、スマートフォンや携帯電話の充電器や、工事現場等で用いられるライト等が考えられる。これらの電気器具は、電源用のＵＳＢ端子を備えるものが普及している。
【００２２】
なお、図１、図２に示すごとく、コードリール１には、４つのＵＳＢポート４１に加えて、２つの出力コンセント５が設けられている。それゆえ、コードリール１は、電源コード３の電源プラグ３１を商用電源に挿入接続し、出力コンセント５に各種電気器具のプラグを挿入接続することで、商用電源と各種電気器具との間を電気的に中継することもできる。
【００２３】
また、本例のコードリール１は、例えば地震や台風等の災害による避難者が集まる学校の体育館や公民館等の避難所において、より大勢の避難者が持参の電気器具の電源を確保できるようにするためのものとして好適に使用される。すなわち、本例において、コードリール１は、前述のごとく４つのＵＳＢポート４１を備えており、加えて、２つの出力コンセント５を備えている。そのため、１つの商用電源の差込口にコードリール１の電源プラグ３１を差し込み、コードリール１の各ＵＳＢポート４１及び各出力コンセント５に種々の電気器具を接続することで、最大６つの電気器具が同時に使用できる。また、避難所に商用電源が複数ある場合は、複数のコードリール１を用いることで、より多くの電気器具を同時に使用できる。
【００２４】
次に、コードリール１の各構成要素につき具体的に説明する。
なお、コードリール１が地面等に設置された姿勢において、鉛直方向となる方向を上下方向Ｚという。また、リール２の回転軸が延びる方向を軸方向Ｘという。軸方向Ｘは、上下方向Ｚと直交している。軸方向Ｘの一方側であって、リール２におけるＵＳＢポート４１や出力コンセント５が配された側を前方といい、その反対側を後方という。
【００２５】
図１〜図３に示すごとく、コードリール１は、リール２を支持するフレーム６を有する。フレーム６は、下端部に形成された一対の脚部６１と、上端部に形成された把持部６２と、脚部６１と把持部６２とを連結する背部６３と、背部６３に固定されるとともにリール２の回転の中心となる回転軸部６４と、を有する。
【００２６】
脚部６１は、フレーム６の下端部に形成されており、コードリール１を地面等に置く際に、地面等に当接する部位である。把持部６２は、フレーム６の上端部に形成されており、コードリール１の使用者がコードリール１を持ち運びする際に把持する部位である。背部６３は、脚部６１の後端と把持部６２の後端とを連結する部位である。換言すれば、脚部６１と把持部６２は、背部６３から前方に突出している。背部６３における上下方向Ｚの中央部に、回転軸部６４が固定されている。
【００２７】
回転軸部６４は、背部６３に対して垂直に形成されている。回転軸部６４は、背部６３から前方に向かって、軸方向Ｘに延在するよう形成されている。回転軸部６４に対して回転可能となるよう、リール２がフレーム６に支持されている。
【００２８】
図３に示すごとく、リール２は、胴部２１と側板部２２とを有する。胴部２１は、軸方向Ｘに高さを有する円筒状に形成されており、側板部２２は、胴部２１よりも外周側に突出するよう円盤状に形成されている。一対の側板部２２は、胴部２１における両側の開口端を閉塞するよう胴部２１に嵌合されている。一対の側板部２２は、締結部材１１によって互いに軸方向Ｘに固定されている。また、一対の側板部２２の中央部には、回転軸部６４が貫通している。
【００２９】
図１、図２に示すごとく、一対の側板部２２のうちの前方の側板部２２である前方側板部２２１には、４つのＵＳＢポート４１を備えたＵＳＢモジュール４と、２つの出力コンセント５が設けられている。
【００３０】
図７に示すごとく、前方側板部２２１は、ＵＳＢモジュール４を配置するためのモジュール配置穴２２１ａを備える。モジュール配置穴２２１ａは、前方側板部２２１を軸方向Ｘに貫通するよう形成されている。モジュール配置穴２２１ａは、軸方向Ｘに直交する一方向に長尺な長方形状を有する。
【００３１】
モジュール配置穴２２１ａの短手方向の両側には、前記短手方向の外側に凹む凹部２２１ｂが形成されている。凹部２２１ｂは、モジュール配置穴２２１ａにおける短手方向の両側のそれぞれにおいて、モジュール配置穴２２１ａの長手方向の２か所に形成されている。詳細は後述するが、凹部２２１ｂは、ＵＳＢモジュール４を前方側板部２２１に組み付ける際に、ＵＳＢモジュール４の爪部４０１ｅが通過する部分である。そして、モジュール配置穴２２１ａに、ＵＳＢモジュール４が挿入嵌合されている。
【００３２】
図６に示すごとく、ＵＳＢモジュール４は、ケース４０と、ケース４０内に収容された４つのＵＳＢポート４１及びパイロットランプ４２とを備える。
【００３３】
図４〜図６に示すごとく、ケース４０は、ケース本体４０１とカバー４０２とを備える。ケース本体４０１は、外形が直方体となる箱体形状を有している。図６に示すごとく、ケース本体４０１の内部に４つのＵＳＢポート４１及びパイロットランプ４２が配されている。
【００３４】
図６に示すごとく、ケース本体４０１の内側空間の前方に配された前壁部４０１ａは、図７に示すモジュール配置穴２２１ａの長手方向に長尺な形状を有する。図６に示すごとく、前壁部４０１ａには、４つのポート配置穴４０１ｂと１つのランプ配置穴４０１ｃとが形成されている。
【００３５】
各ポート配置穴４０１ｂは、前壁部４０１ａの短手方向に長尺な矩形状を呈している。４つのポート配置穴４０１ｂは、前壁部４０１ａの長手方向に並ぶよう一列に配されている。ランプ配置穴４０１ｃは、４つのポート配置穴４０１ｂにおける前記長手方向の一方側に配されており、４つのポート配置穴４０１ｂと１つのランプ配置穴４０１ｃとは前記長手方向に一列に並んでいる。
【００３６】
各ポート配置穴４０１ｂには、ＵＳＢポート４１の開口端部が挿入されており、ランプ配置穴４０１ｃには、パイロットランプ４２が挿入されている。これに伴い、４つのＵＳＢポート４１とパイロットランプ４２とは、前記長手方向に一列に並んでいる。また、ケース本体４０１からは、４つのＵＳＢポート４１の前端及びパイロットランプ４２が露出している。
【００３７】
４つのＵＳＢポート４１は、ケース本体４０１内に収容された図示しない基板に搭載されている。そして、基板は、ケース本体４０１内に固定されている。４つのＵＳＢポート４１は、前記基板に搭載された図示しないＡＣ−ＤＣ電源回路を介して電源コード３に接続されている。ＡＣ−ＤＣ電源回路は、電源から、電源コード３を介して供給される交流電力を直流電力に変換する。
【００３８】
パイロットランプ４２は、ＬＥＤからなる。パイロットランプ４２は、電源コード３の電源プラグ３１の一対の端子に電気的に接続されている。パイロットランプ４２は、コードリール１の電源プラグ３１が電源に接続されているときは青色に点灯し、電源プラグ３１が電源に接続されていないときは消灯する。すなわち、本例においては、パイロットランプ４２の点灯状態を確認することで、ＵＳＢポート４１及び出力コンセント５に電力が供給されているか否かを把握することができる。
【００３９】
図４、図５に示すごとく、ケース本体４０１の前壁部４０１ａには、外周側に突出するフランジ部４０１ｄが形成されている。そして、図４に示すごとく、ケース本体４０１の両側面におけるフランジ部４０１ｄの後方近傍には、側方に突出する爪部４０１ｅが形成されている。
【００４０】
図４に示すごとく、爪部４０１ｅは、前方に向かうほどケース本体４０１から遠ざかるよう突出しており、ケース本体４０１に対して後端部が接続された片持ち状態となるよう形成されている。爪部４０１ｅは、爪部４０１ｅが形成されたケース本体４０１の側面の法線方向に撓むことができるよう形成されている。図５に示すごとく、爪部４０１ｅが形成されたケース本体４０１の各側面には、２つの爪部４０１ｅが形成されている。
【００４１】
図８、図９に示すごとく、ＵＳＢモジュール４をモジュール配置穴２２１ａに挿入する際、ＵＳＢモジュール４は、前方側板部２２１の前方からモジュール配置穴２２１ａに挿入される。このとき、爪部４０１ｅは、モジュール配置穴２２１ａの凹部２２１ｂの内壁に押されて撓みながらモジュール配置穴２２１ａを通過する。
【００４２】
そして、図１０に示すごとく、ＵＳＢモジュール４を、フランジ部４０１ｄが前方側板部２２１に当接するまで押し込むことで、爪部４０１ｅがモジュール配置穴２２１ａの凹部２２１ｂを通過し、爪部４０１ｅの弾性的な復元力によって爪部４０１ｅがモジュール配置穴２２１ａの外周側に突出する。これにより、爪部４０１ｅが前方側板部２２１と軸方向Ｘに対向し、モジュール配置穴２２１ａからのＵＳＢモジュール４の抜け止めがなされる。ＵＳＢモジュール４は、フランジ部４０１ｄから前方側の部位がモジュール配置穴２２１ａから露出する。そして、図６に示すごとく、ケース本体４０１の前端には、バネ蝶番１２を介してカバー４０２が取り付けられている。
【００４３】
図４に示すごとく、カバー４０２は、ケース本体４０１の前壁部４０１ａを前方から覆うことができるよう構成されている。カバー４０２は、ＵＳＢポート４１を覆う閉状態と、ＵＳＢポート４１をＵＳＢモジュール４の外部に露出させる開状態との状態を取り得るよう構成されている。図６に示すごとく、ＵＳＢモジュール４のカバー４０２を開状態とすることで、ＵＳＢモジュール４からＵＳＢポート４１の開口が露出し、各種電気器具のＵＳＢ端子を挿入できる。
【００４４】
少なくとも開状態において、カバー４０２は、バネ蝶番１２により、閉状態に向かう方向に付勢されている。それゆえ、ＵＳＢポート４１にＵＳＢ端子が挿入されていない状態において、ＵＳＢモジュール４のカバー４０２は、バネ蝶番１２の付勢力によって自動的に閉じた状態となる。一方、ＵＳＢポート４１に各種電気器具のＵＳＢ端子が挿入されている場合、カバー４０２は、バネ蝶番１２の付勢力によって閉状態に向かい、ＵＳＢポート４１に接続された各種電気器具のコード等に係止される。
【００４５】
カバー４０２は、透明である。例えば、カバー４０２は、透明なプラスチックによって構成することができる。カバー４０２を透明にすることで、カバー４０２が閉状態、開状態のいずれであっても、コードリール１の使用者がパイロットランプ４２を視認することができる。図１、図２に示すごとく、前方側板部２２１におけるＵＳＢモジュール４とは異なる位置に、２つの出力コンセント５が取り付けられている。
【００４６】
出力コンセント５は、図５に示すごとく前方側板部２２１に形成されたコンセント配置穴２２１ｃに挿入されるとともに、前方側板部２２１にボルト締結されている。図１、図２に示すごとく、出力コンセント５は、ライブ端子５Ｌとニュートラル端子５Ｎとを備える単相の電源である。２つの出力コンセント５は、回転軸部６４を挟んでＵＳＢモジュール４と反対側に配されている。
【００４７】
２つの出力コンセント５のライブ端子５Ｌは、互いに並列に、電源コード３のライブ側の電線に電気接続されており、２つの出力コンセント５のニュートラル端子５Ｎは、電源コード３のニュートラル側の電線に電気接続されている。なお、出力コンセント５は、例えばアース付きのものとすることも可能である。図１〜図３に示すごとく、前方側板部２２１の外周部には、取手部２２１ｄが設けられている。
【００４８】
取手部２２１ｄは、コードリール１の使用者が、電源コード３をリール２に巻き取る際に掴んでリール２を回転させるための取手である。リール２を回転させることで、電源コード３をリール２の胴部２１の外周面に巻回することができる。
【００４９】
電源コード３は、単相の商用電源に接続できる電源プラグ３１を一端に備える。そして、電源コード３における電源プラグ３１と反対側の部位は、胴部２１に貫通形成された孔部から胴部２１内に挿入されている。電源コード３における胴部２１内に配された部位は、出力コンセント５及びＵＳＢポート４１に電気的に接続されている。
【００５０】
次に、本例の作用効果につき説明する。
本例のコードリール１は、複数のＵＳＢポート４１がモジュール化されてなるとともにリール２に取り付けられたＵＳＢモジュール４を備える。それゆえ、複数のＵＳＢポート４１をモジュール化したＵＳＢモジュール４をリール２の外部で製造するとともに、これをリール２に組み込むことで、複数のＵＳＢポート４１をリール２に容易に配設することができる。それゆえ、複数のＵＳＢポート４１を備えたコードリール１の生産性を向上させることができる。
【００５１】
また、ＵＳＢモジュール４は、複数のＵＳＢポート４１を備える。それゆえ、コードリール１の電源コード３を１つの電源に差し込むことにより、複数のＵＳＢポート４１を使用することができ、災害時においても、より多くの人がコードリール１のＵＳＢポート４１から電源を確保することができる。
【００５２】
また、リール２には、ＵＳＢポート４１に加え、電源コード３の他端側に接続された出力コンセント５が設けられている。それゆえ、コードリール１の使用者は、コードリール１のＵＳＢポート４１と出力コンセント５との双方を利用することができる。それゆえ、１つのコードリールでより多くの電気機器を使用することができる。
【００５３】
また、ＵＳＢモジュール４には、電源プラグ３１が電源に差し込まれていない状態では消灯し、電源プラグ３１が電源に差し込まれている状態では点灯するパイロットランプ４２が設けられている。それゆえ、コードリール１の使用者は、パイロットランプ４２を確認することで、コードリール１の電源プラグ３１が電源に接続されているか否かを一目で把握することができる。
【００５４】
また、ＵＳＢモジュール４は、ＵＳＢポート４１を閉塞する閉状態とＵＳＢポート４１を外部に露出させる開状態との間を移動可能なカバー４０２を備え、カバー４０２は、閉状態に向かう方向に付勢されている。それゆえ、ＵＳＢポート４１からコードを引き抜くと、ＵＳＢモジュール４のカバー４０２が自動的に閉じられる。それゆえ、コードリール１使用者は、コードリール１不使用時に、ＵＳＢポート４１に塵、埃、雨水等の異物が入り込むことを確実に防止することができる。
【００５５】
また、カバー４０２は透明であり、パイロットランプ４２は、ＵＳＢモジュール４のカバー４０２が閉状態のとき、コードリール１の外部からカバー４０２を通して視認可能である。それゆえ、ＵＳＢモジュール４のカバー４０２が閉じているか開いているかに関わらず、コードリール１の使用者は、外部からパイロットランプ４２を確認し、コードリール１の電源プラグ３１が電源に接続されているか否かを一目で確認することができる。
【００５６】
また、ＵＳＢモジュール４は、４つ以上のＵＳＢポート４１を備える。それゆえ、１つのコードリール１でより多くの電気機器を使用することができる。特に、近年、スマートフォンや携帯電話等の充電器として、ＵＳＢポート４１に接続可能なＵＳＢ端子を備えるものが普及しており、災害時の避難所等では、多くの避難者がスマートフォンや携帯電話等の充電のためのＵＳＢポート４１を必要とすることが想定される。そのため、４つ以上のＵＳＢポート４１を有するＵＳＢモジュール４を備えるコードリール１は、災害時用として特に好適に用いることができる。
【００５７】
以上のごとく、本例によれば、複数のＵＳＢポートを備える場合であっても、生産性の向上を図ることができるコードリールを提供することができる。
【００５８】
（実施例２）
本例は、図１１に示すごとく、実施例１に対し、ＵＳＢモジュール４におけるＵＳＢポート４１の数を変更した実施例である。
すなわち、本例においてＵＳＢモジュール４は、２つのＵＳＢポート４１を有する。
【００５９】
その他は、実施例１と同様である。
なお、実施例２以降において用いた符号のうち、既出の実施例において用いた符号と同一のものは、特に示さない限り、既出の実施例におけるものと同様の構成要素等を表す。
【００６０】
本例においても、実施例１と同様の作用効果を有する。
【００６１】
本考案は、前記各実施例に限定されるものではなく、その要旨を逸脱しない範囲において種々の実施例に適用することが可能である。
【符号の説明】
【００６２】
１  コードリール
２  リール
２１  胴部
２２  側板部
３  電源コード
４  ＵＳＢモジュール
４０２  カバー
４１  ＵＳＢポート
４２  パイロットランプ
５  出力コンセント
Ｘ  軸方向
【図１】
0003220993.tif 000003
【図２】
0003220993.tif 000004
【図３】
0003220993.tif 000005
【図４】
0003220993.tif 000006
【図５】
0003220993.tif 000007
【図６】
0003220993.tif 000008
【図７】
0003220993.tif 000009
【図８】
0003220993.tif 000010
【図９】
0003220993.tif 000011
【図１０】
0003220993.tif 000012
【図１１】
0003220993.tif 000013